(57)【特許請求の範囲】
【請求項１】
移動体ユーザエンティティが絶対的な使用権を受けるようにスケジューリングされる少なくとも１つのダウンリンク制御チャネルを含む高速アップリンク基地局を運用するための方法であって、
前記ダウンリンク制御チャネルは、第１の間隔又は第２の間隔に相当する送信間隔をもって配置され、
前記第１の間隔の開始の候補は、追加制御チャネル上で予め定義されたフレームからの前記第１の間隔の長さの整数倍に相当する期間により定義され、
前記第２の間隔の開始の候補は、前記追加制御チャネル上で前記予め定義されたフレームからの前記第２の間隔の長さの整数倍に相当する期間により定義され、
前記基地局は、前記第１の間隔内で排他的に通信可能な第１タイプのユーザエンティティとの間で、及び前記第２の間隔内で通信可能な第２タイプのユーザエンティティとの間で通信するように構成され、
前記方法は、
構成される各チャネル上の負荷を算出するステップと；
配置されたダウンリンク制御チャネルのそれぞれにユーザエンティティを割り当て又は再割り当てするステップと、一方で、
前記第１の間隔及び／又は前記第２の間隔の送信間隔を有する所与のチャネル上に少なくとも割り当てられるユーザエンティティのためにトラフィックをスケジューリングするステップと、
を含み、
各ダウンリンク制御チャネルにおける前記第１の間隔の前記第２の間隔に対する割合は動的に変化し、
構成される各チャネル上の前記負荷は、当該チャネルに割り当てられるユーザエンティティの対応する送信間隔に応じて負荷値を算出することにより算出され、
インカミングのユーザエンティティは、算出される前記負荷の最も低いチャネル上に割り当てられる、
ことを特徴とする、方法。
【請求項２】
前記方法は、ダウンリンク制御チャネルの構成又は再構成において協同するさらなるステップを含み、当該ステップにおいて前記基地局のためにダウンリンク制御チャネルが追加され又は削除される、請求項１に記載の方法。
【請求項３】
前記スケジューリングは、前記割り当てるステップよりも高い頻度で実行される、請求項１に記載の方法。
【請求項４】
ユーザエンティティが所与のチャネルに割り当てられ又は離れた後の前記所与のチャネルについての累積的な負荷値として、所与のダウンリンク制御チャネル上の前記負荷は算出される、
請求項１〜３のいずれかに記載の方法。
【請求項５】
構成される各チャネル上の前記負荷は、移動する時間ウィンドウ内でその特定のユーザエンティティのために絶対的な使用権が送信される量に従った、各ユーザエンティティについての補償値を用いて算出される、請求項１〜３のいずれかに記載の方法。
【請求項６】
前記負荷の値は、前記第２の間隔を使用可能なユーザエンティティについての重みの値を用いて補償され、前記重みの値は、１よりも大きい、請求項５に記載の方法。
【請求項７】
前記ダウンリンク制御チャネルが前記第１の間隔のみを含むような、若しくは前記ダウンリンク制御チャネルが前記第２の間隔のみを含むような期間の間に前記フレームのレイアウトがスケジューリングされ得るように前記ダウンリンク制御チャネルはスケジューリングされ；又は前記第１及び第２の間隔の複合を含むように前記ダウンリンク制御チャネルはスケジューリングされる、請求項１〜５のいずれかに記載の方法。
【請求項８】
前記第１の間隔の前記第２の間隔に対する割合は、当該割合が動的に変化するようにスケジューリングされる、請求項１〜６のいずれかに記載の方法。
【請求項９】
再構成信号を生成する前記基地局のセルアイデンティティに関し、及び、前記基地局によりいくつのダウンリンク制御チャネルが求められているかに関する情報を含む、前記再構成信号が使用される、請求項２に記載の方法。
【請求項１０】
前記ダウンリンク制御チャネルは、拡張絶対使用権チャネルである、請求項１〜９のいずれかに記載の方法。
【請求項１１】
移動体ユーザエンティティが絶対的な使用権を受けるようにスケジューリングされる少なくとも１つのダウンリンク制御チャネルを通信するために構成される高速アップリンク基地局であって、
前記ダウンリンク制御チャネルは、第１の間隔又は第２の間隔に相当する送信間隔をもって配置され、
前記第１の間隔の開始の候補は、追加制御チャネル上で予め定義されたフレームからの前記第１の間隔の長さの整数倍に相当する期間により定義され、
前記第２の間隔の開始の候補は、前記追加制御チャネル上で前記予め定義されたフレームからの前記第２の間隔の長さの整数倍に相当する期間により定義され、
前記基地局は、前記第１の間隔内で排他的に通信可能な第１タイプのユーザエンティティとの間で、及び前記第２の間隔内で通信可能な第２タイプのユーザエンティティとの間で通信するように構成され、
前記基地局は、
構成される各チャネル上の負荷を算出するステップと；
配置されたダウンリンク制御チャネルのそれぞれにユーザエンティティを割り当て又は再割り当てするステップと、一方で、
前記第１の間隔及び／又は前記第２の間隔の送信間隔を有する所与のチャネル上に少なくとも割り当てられるユーザエンティティのためにトラフィックをスケジューリングするステップと、
を実行するために構成され、
各ダウンリンク制御チャネルにおける前記第１の間隔の前記第２の間隔に対する割合は動的に変化し、
構成される各チャネル上の前記負荷は、当該チャネルに割り当てられるユーザエンティティの対応する送信間隔に応じて負荷値を算出することにより算出され、
インカミングのユーザエンティティは、算出される前記負荷の最も低いチャネル上に割り当てられる、
ことを特徴とする、基地局。
【発明の詳細な説明】
【技術分野】
【０００１】
本発明は、２及び１０ｍｓＴＴＩの双方に対応可能な装置を伴って運用されるＨＳＵＰＡ（ＨＳＰＤＡ）基地局及びネットワークを対象とする。
【背景技術】
【０００２】
ＷＣＤＭＡ（Wideband  Code  Division  Multiple  Access）仕様のリリース６において、高速アップリンクパケットアクセス（ＨＳＵＰＡ（拡張アップリンクともいう））通信スキームは、ダウンリンクの高速パケットデータアクセス（ＨＳＰＤＡ）スキームに加えて定義されており、これは後者により提供されるビットレートに適合させることを目的としたためであって、それにより改善された双方向の、バックグラウンドの、及びストリーミングのサービスの要求が充足される。従来技術の文書である３ＧＰＰ  ＴＳ  ２５．３０９“FDD  Enhanced  Uplink  Overall  description”において、拡張ＵＬ（Enhanced  UL）は説明されている。
【０００３】
図１において、ＨＳＵＰＡネットワークの概要（ＨＳＤＰＡに関連するチャネルは図に含まれていない）が示されている。ネットワークは、ｌｕインタフェース上で無線ネットワークコントローラ（ＲＮＣ）との間で通信するコアネットワークと、第１の基地局ＮｏｄｅＢ（Ｂ１）と、第２の基地局ＮｏｄｅＢ（Ｂ２）とを含み、双方の基地局はＥＵＬスケジューラユニットを含む。ＥＵＬスケジューラは、ＭＡＣ−ｅスケジューラとも呼ばれ、それぞれのｌｕｂインタフェース上でＲＮＣとの間で通信する。
【０００４】
以下のＨＳＵＰＡチャネルはエアインタフェース上を伝送されるものであり、ＭＡＣ−ｅスケジューラからＵＥへ絶対的な使用権（absolute  grant）のシグナリングを搬送するＥ−ＡＧＣＨと、相対的な使用権のシグナリングのためのＥ−ＲＧＣＨと、ＵＥが送信するデータを復号するＮｏｄｅＢからの確認応答フィードバックを搬送するＥ−ＨＩＣＨと、送信電力制御（ＴＰＣ）コマンドを搬送する専用物理チャネル（ＤＰＣＨ）又は部分（Fractional）ＤＰＣＨと、ＭＡＣ−ｅペイロードを搬送する拡張ＤＰＤＣＨ（Ｅ−ＤＰＤＣＨ）と、ＭＡＣ−ｅの制御シグナリングを搬送する拡張ＤＰＣＣＨ（Ｅ−ＤＰＣＣＨ）とがある。
【０００５】
この例（Ｅ−ＡＧＣＨがサービングセルからのみ送信される）では、ＮｏｄｅＢ１がサービングセルを構成する一方、ＮｏｄｅＢ２は非サービングセルを構成する。
【０００６】
ＨＳＵＰＡの仕様によれば、拡張専用チャネル（Ｅ−ＤＣＨ）高速アップリンクトランスポートチャネルは、例えば短い送信時間間隔（Transmission  Time  Interval；ＴＴＩ）、ソフト再合成を伴う高速ハイブリッド自動再送要求（Automatic  Repeat  Request；ＡＲＱ）、遅延の低減のための高速スケジューリング、増加したデータレート及び増加したキャパシティなどの多数の新たな特徴を提供する。
【０００７】
ＵＥがＮｏｄｅＢ、３Ｇページング信号などとの通信をセットアップする際、セットアップ手続に続いて、ＴＣＰを用いた例えばインターネットページのダウンロード／サーフィンのためのＨＳＤＰＡセッションが生じ得る。ユーザエンティティの機能性に依存し、これはさらにＨＳＵＰＡ送信を含んでもよく、その際ＨＳＵＰＡ標準の一部であるＥ−ＤＰＤＣＨダウンリンクチャネル上でＮｏｄｅＢはＴＣＰメッセージを送信し、アップリンク上でＮｏｄｅＢに迅速なＴＣＰ応答が送信される。ＵＥがＴＣＰプロトコルを介してアップリンク上でＮｏｄｅＢに応答することのできるスピードは、ＮｏｄｅＢからのより大きなファイルのダウンロードスピードの全体に影響を与えることが示されてきた。
【０００８】
ユーザエンティティがＮｏｄｅＢとの間でＨＳＵＰＡサービスを使用する準備ができた後、ユーザエンティティは、いずれのＥ−ＡＧＣＨコードについて絶対的な使用権を受けることになるかを通知される。
【０００９】
Ｅ−ＡＧＣＨチャネルは、ＮＢＡＰシグナリングプロトコルを介するＲＮＣとの構成又は再構成手続において、ＮｏｄｅＢに構成される。図１６において、サービング無線リンク（ＲＬ）のためのＮＰＡＢ  Ｅ−ＡＧＣＨチャネルの割り当てが示されている。続いて、ダウンリンクトラフィックが時間多重化の手法によりＥ−ＡＧＣＨチャネライゼーションコード上でＵＥにスケジューリングされる。
【００１０】
ダウンリンクＥ−ＡＧＣＨチャネル上で送信されるメッセージの１つのタイプは“絶対的な使用権（absolute  grant）”であり、即ちユーザエンティティにアップリンク上で所与のビットレートで送信を行う権利を認めるメッセージである。ＮｏｄｅＢのＭＡＣ−ｅスケジューラが絶対的な使用権を発行する。帯域の必要性は時間にわたって動的に変化するため、ユーザエンティティによる電力の放出が迅速に調整されることは有益であり、それにより帯域は不必要に浪費されない。
【００１１】
Ｅ−ＡＧＣＨは、１つから複数まで（現在は４つまで）の数のチャネライゼーションコードを有するように定義されることができ、典型的には、その数はセル内のＥ−ＤＣＨ無線リンク（ＲＬ）の数よりも少ない。利用可能なＥ−ＡＧＣＨコードの実際の数は時間にわたって（但しある程度長い時間ベースで）動的に変化し、その割り当てはＮｏｄｅＢとＲＮＣとの間の手続に従って定められる。図１７において、この手続が示されている。
【００１２】
Ｅ−ＡＧＣＨチャネライゼーションコード（の数）は制限されており、セルのキャパシティはコードと電力とにより制限されるため、Ｅ−ＡＧＣＨ送信のためには可能な限り少ないコードを使用することが望ましい。ＵＥについての使用権を頻繁に変化させるＭＡＣ−ｅスケジューラにとっては、Ｅ−ＡＧＣＨチャネルを効率的に使用することが重要である。
【００１３】
３ＧＰＰにより、２つの運用モード、１０ｍｓＴＴＩ（送信時間間隔）モード及び２ｍｓＴＴＩモードが仕様化されている。全てのＵＥのカテゴリは、１０ｍｓＴＴＩをサポートする。カテゴリ２、４及び６は、選択肢として２ｍｓＴＴＩを有する。１０ｍｓ  ＨＳＵＰＡ  ＴＴＩにおいては最大のピークレートは２Ｍｂｐｓであり、２ｍｓ  ＨＳＵＰＡ  ＴＴＩにおいては５．７６Ｍｂｐｓである。並行に４つのコードが送信される場合には、２つのコードがＳＦ２と共に、２つがＳＦ４と共に送信されるべきである。
【００１４】
【表１】
0005540123.tif 000002
【００１５】
１０ｍｓＴＴＩを排他的に処理可能なＵＥカテゴリのみ最初に市場で利用可能となるであろうと見込まれている。市場の成功及び市場の需要に応じて、その後２ｍｓに対応可能な装置が利用可能となるであろうと期待され得る。
【００１６】
図２は、３ＧＰＰ  ＴＳ２５．２１１に対応しており、１０ｍｓＴＴＩ及び２ｍｓＴＴＩのサブフレームのためのＥ−ＡＧＣＨ上の送信が整列していることを要することを示している。双方のＴＴＩタイプについて、遅延はＰ−ＣＣＰＣＨチャネルとの関連において５１２０チップにセットされている。
【００１７】
図３において示されているように、所与のセル内にはＵＥが混在しており、少なくとも２ｍｓＴＴＩを処理可能なＵＥ（以下、第２間隔ＴＴＩタイプのＵＥ、と呼ぶ）もあれば１０ｍｓＴＴＩを排他的に処理可能なＵＥ（第１間隔ＴＴＩタイプのＵＥ）もある従来技術のシナリオにおいて、ＮｏｄｅＢは同じＥ−ＡＧＣＨチャネライゼーションコード、即ち無線リンク（ＲＬ）上に１つ以上の２ｍｓＴＴＩのＵＥ及び１つ以上の１０ｍｓＴＴＩを配置する。図３の例において、ＭＡＣ−ｅスケジューラが絶対的な使用権を２ｍｓＴＴＩのＵＥへまず送信し、その後１０ｍｓＴＴＩのＵＥへ送信するよう決定する場合、８ｍｓの送信ギャップが存在する。図２において示されているように、タイミング特性は開始時間に対する基本的な要件を満たさなければならないため、Ｅ−ＡＧＣＨ上の“送信ギャップ”が生じ得る。このＥ−ＡＧＣＨの使用は非効率的であり、不必要な余分な遅延が生じ得る。
【００１８】
なお、上記のシナリオにおいて、図２において示されている所与の基準時間から１０ｍｓＴＴＩの間隔の整数倍となる時点において、１０ｍｓＴＴＩの開始が許可される。１０ｍｓＴＴＩ送信の間に複数の２ｍｓＴＴＩ送信が発生し得る。
【発明の概要】
【発明が解決しようとする課題】
【００１９】
本発明の第１の目的は、ＨＳＵＰＡ基地局における経済的なチャネルリソースの割り当てを促進すること、特に共有ダウンリンク制御リソースの効率的な利用である。
【課題を解決するための手段】
【００２０】
移動体ユーザエンティティが絶対的な使用権を受けるようにスケジューリングされる少なくとも１つのダウンリンク制御チャネル（Ｅ−ＡＧＣＨ）を含む高速アップリンク基地局を運用するための方法であって、上記ダウンリンク制御チャネルは、第１の間隔（Ｐ１）又は第２の間隔（Ｐ２）に相当する送信間隔をもって配置され、第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、第２の送信間隔（Ｐ２）の開始の候補は、追加制御チャネル（Ｐ−ＣＣＰＣＨ）上で上記予め定義された（ｔ１）フレームからの上記第２の送信間隔（Ｐ２）の長さの整数倍に相当する期間により定義され、上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成される、方法により、この目的は達成される。上記方法は、
−排他的に上記第１の間隔（１０ｍｓ）の送信間隔を有する第１のダウンリンク制御チャネルを配置し又は再配置し、及び、排他的に上記第２の間隔（２ｍｓ）の送信間隔を有する第２のダウンリンク制御チャネルを配置し又は再配置するステップ（ｉｉ；１１ｉｉ−１６ｉｉ．，２７ｉｉ）と；
−配置されたダウンリンク制御チャネルのそれぞれにユーザエンティティを割り当て又は再割り当てするステップ（ｖ）と、一方で、
−割り当てられるユーザエンティティのためにトラフィックをスケジューリングするステップ（ｘ）と、
をさらに含む。
【００２１】
さらなる観点によれば、上記方法は、ダウンリンク制御チャネルの構成又は再構成（ｉ，１０ｉ）において協同するさらなるステップを含み、当該ステップにおいて上記基地局のためにダウンリンク制御チャネルが追加され又は削除される。
【００２２】
本発明の第２の目的は、ＨＳＵＰＡ基地局における経済的なチャネルリソースの代替的な割り当てを促進すること、特に共有ダウンリンク制御リソースの効率的な利用である。
【００２３】
移動体ユーザエンティティが絶対的な使用権を受けるようにスケジューリングされる少なくとも１つのダウンリンク制御チャネル（Ｅ−ＡＧＣＨ）を含む高速アップリンク基地局を運用するための方法であって、
上記ダウンリンク制御チャネルは、第１の間隔（Ｐ１）又は第２の間隔（Ｐ２）に相当する送信間隔をもって配置され、
第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、
第２の送信間隔（Ｐ２）の開始の候補は、上記追加制御チャネル（Ｐ−ＣＣＰＣＨ）上で上記予め定義された（ｔ１）フレームからの上記第２の送信間隔（Ｐ２）の長さの整数倍に相当する期間により定義され、
上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成される、方法により、このさらなる目的は達成される。
上記方法は、
構成される各チャネル上の上記負荷を算出するステップと（ｉｉｉ）；
配置されたダウンリンク制御チャネルのそれぞれにユーザエンティティを割り当て（ｖｉ）又は再割り当てするステップ（ｖｉ）と、一方で、
上記第１の間隔（Ｐ１）及び／又は上記第２の間隔（Ｐ２）の送信間隔を有する所与のチャネル上に少なくとも割り当てられるユーザエンティティのためにトラフィックをスケジューリングするステップ（ｘ）と、
を含み、
第１の間隔（Ｐ１）の第２の間隔（Ｐ２）に対する上記割合は動的に変化する。
【００２４】
有利なことに、上記方法はダウンリンク制御チャネルの構成又は再構成（ｉ，１０ｉ）において協同するさらなるステップを含み、当該ステップにおいて上記基地局のためにダウンリンク制御チャネルが追加され又は削除される。
【００２５】
本発明のさらなる観点によれば、上記ダウンリンク制御チャネルは、拡張絶対使用権チャネル（Enhanced  Absolute  Grant  channels；Ｅ−ＡＧＣＨ）である。
【００２６】
ＷＣＤＭＡ（Wideband  Code  Division  Multiple  Access）のセル内におけるダウンリンク（ＤＬ）のキャパシティは、典型的に電力及び／又はコードにより制限される。そのため、可能な限り少ないチャネライゼーションコードを使用することは利益がある。セル内におけるチャネルとも呼ばれるサービング無線リンクが少なければそれだけ、絶対的な使用権をＥ−ＡＧＣＨを介して送信するために必要なチャネライゼーションコードは少なくなる。そのため本発明は、セル内におけるサービング無線リンクの数に基づいて、構成されるコードを制限する。
【００２７】
以下の詳細な本発明の説明から、さらなる利点は明らかであろう。
【図面の簡単な説明】
【００２８】
【図１】従来技術のＨＳＵＰＡネットワークの基本的な要素を示している。
【図２】１０又は２ｍｓＴＴＩのいずれかを使用するＥ−ＡＧＣＨチャネルについてのタイミング特性に関するＨＳＵＰＡ仕様のリリース６の引用を示している。
【図３】２つのＥ−ＡＧＣＨチャネルを使用する複合ＴＴＩモード送信について考えられる従来技術のシナリオを示している。
【図４】本発明の第１の実施形態に係るＥ−ＡＧＣＨチャネルの配置を示している。
【図５】本発明の実施形態に係るユーザエンティティを示している。
【図６】本発明の実施形態に係るＮｏｄｅＢを示している。
【図７】本発明の好適な実施形態に係る２つのＥ−ＡＧＣＨチャネルを使用する複合ＴＴＩモード送信についてのさらなるシナリオを示している。
【図８】図７との関連におけるタイミング特性を示している。
【図９】本発明に係るＥ−ＡＧＣＨチャネルの構成と、Ｅ−ＡＧＣＨチャネルの配置と、ＵＥのＲＬへの割り当て及びスケジューリングとについてのルーチンの第１の実施形態を示している。
【図１０】第１の実施形態の代替案を示している。
【図１１】本発明に係る第１の実施形態の第２の代替案を示している。
【図１２】第１の実施形態の第３の代替案を示している。
【図１３】本発明に係るＥ−ＡＧＣＨチャネルの構成と、ＵＥのＲＬへの割り当て及びスケジューリングとについてのルーチンの第２の実施形態を示している。
【図１４】第２の実施形態の一部を任意的に形成する動的な負荷値算出ルーチンを示している。
【図１５】第２の実施形態の観点を示している。
【図１６】ＮＢＡＰプロトコルに従った第２の実施形態に係るユーザエンティティのチャネルへの割り当ての一例を示している。
【図１７】ＮＢＡＰプロトコルに従ったチャネルの構成を示している。
【図１８】ＮＢＡＰを使用する本発明に係るチャネルの再構成を示している。
【図１９】第２の実施形態に係るスケジューリングのシナリオを示している。
【発明を実施するための形態】
【００２９】
[本発明の第１の実施形態]
図９は、Ｅ−ＡＧＣＨの構成、チャネルの配置、ＵＥのＥ−ＡＧＣＨコードへの割り当て、及びＵＥのスケジューリングのためにＮｏｄｅＢ内で実行される一般的な手続に関するものである。
【００３０】
移動体ユーザエンティティが絶対的な使用権を受けるようにスケジューリングされる少なくとも１つのダウンリンク制御チャネル（Ｅ−ＡＧＣＨ）を含む高速アップリンク基地局を運用するための方法であって、上記ダウンリンク制御チャネルは、第１の間隔（Ｐ１）又は第２の間隔（Ｐ２）に相当する送信間隔をもって配置され、第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、第２の送信間隔（Ｐ２）の開始の候補は、追加制御チャネル（Ｐ−ＣＣＰＣＨ）上で上記予め定義された（ｔ１）フレームからの上記第２の送信間隔（Ｐ２）の長さの整数倍に相当する期間により定義され、上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成される、方法が示される。上記方法は、
−排他的に上記第１の間隔（１０ｍｓ）の送信間隔を有する第１のダウンリンク制御チャネルを配置し又は再配置し、及び、排他的に上記第２の間隔（２ｍｓ）の送信間隔を有する第２のダウンリンク制御チャネルを配置し又は再配置するステップ（ｉｉ；１１ｉｉ−１６ｉｉ．，２６ｉｉ，２７ｉｉ）と；
−配置されたダウンリンク制御チャネルのそれぞれにユーザエンティティを割り当て又は再割り当てするステップ（ｖ）と、一方で、
−割り当てられるユーザエンティティのためにトラフィックをスケジューリングするステップ（ｘ）と、
を含む。
【００３１】
後半のステップｘ）であるＵＥのスケジューリングｘ）の記述は、多くの既知のやり方で実行され得る。本発明によれば、個々のＴＴＩスロット上のパケットのスケジューリングは、所与のスケジューリングルーチンに従って発生するが、ＵＥが割り当てられるｖ）チャネル上に限られる。
【００３２】
ユーザエンティティを割り当てるステップほど高い頻度で実行される必要はないものの、上記方法はさらに有利なことに、
−ダウンリンク制御チャネルを構成し又は再構成するステップ（ｉ，１０ｉ）を含み、当該ステップにおいて上記基地局のためにＥ−ＡＧＣＨダウンリンク制御チャネルが追加され又は削除される。
【００３３】
例えば、第１の個々のＥ−ＡＧＣＨチャネライゼーションコードは１０ｍｓＴＴＩ間隔Ｐ１を排他的に有するように配置され、第２の個々のＥ−ＡＧＣＨチャネライゼーションコードは２ｍｓ間隔Ｐ２を排他的に有するといった手法で、ＮｏｄｅＢは個々のＥ−ＡＧＣＨチャネライゼーションコード上のタイムスロットを固有に配置するｉｉ）。
【００３４】
換言すれば、本発明の第１の実施形態に係るチャネル配置に従って使用される少なくともいくつかのチャネライゼーションコードは、配置されるＥ−ＡＧＣＨチャネルが２ｍｓ及び１０ｍｓ間隔の組み合わせを含まないようになされる。以下、そのようにＥ−ＡＧＣＨチャネルを配置する手法を“クリーン（clean）”ＴＴＩチャネル配置と呼ぶものとし、そのような配置を有するＥ−ＡＧＣＨを“クリーン”Ｅ−ＡＧＣＨチャネルという。
【００３５】
この実施形態の１つの観点によれば、２ｍｓＴＴＩタイプのユーザエンティティは１０ｍｓＴＴＩを処理することも可能であるため、２ｍｓＴＴＩ間隔を実行可能なＵＥは、２ｍｓＴＴＩを有するクリーンなＥ−ＡＧＣＨチャネル上又は１０ｍｓＴＴＩを有するクリーンなＥ−ＡＧＣＨ上のいずれかに好適にスケジューリングされる。
【００３６】
図７及び図８において、１０ｍｓＴＴＩ間隔が時間多重化方式で２ｍｓＴＴＩ間隔により割り込まれる、Ｅ−ＡＧＣＨチャネルの別の配置のやり方が示されている。本発明によれば、これらの割り込みは周期的であってもよく又は１０ｍｓ間隔の２ｍｓ間隔に対する比率が変化する動的な割り当てに従ってもよい。このチャネル配置を“複合（mixed）”チャネル配置と呼ぶものとし、そのような配置を有するＥ−ＡＧＣＨチャネルを“複合”Ｅ−ＡＧＣＨチャネルという。
【００３７】
図１０においてＮｏｄｅＢ内で実行されるルーチンが提供されており、図９に示されているＥ−ＡＧＣＨチャネルの構成（ｉ）、チャネルの配置（ｉｉ）、及び無線リンクのＵＥへの割り当て（ｖ）を、開始の状況がどのように実行されるかに関してさらに説明している。ステップｘ）も実行されるということは理解されるべきである。
【００３８】
ステップ１１ｉｉ、１２ｉｉ、及び１３ｉｉにおいて、１つ、２つ、又は複数のいずれのＥ−ＡＧＣＨチャネルがＮＢＡＰプロトコルに従って構成されるのかが検査される。
【００３９】
１つのチャネルのみ割り当てられる場合（ステップ１１ｉｉ）、選択肢は当然なく、全てのＵＥが所与のＥ−ＡＧＣＨチャネルコードを共有しなければならない（ステップ１４ｉｉ）とＮｏｄｅＢは判断する。その後ＵＥはチャネルに割り当てられる（ｖ）。この理由のため、図７及び図８において示されているようなレイアウトの２ｍｓ及び１０ｍｓＴＴＩの予め決定された“複合”パターンをもって、Ｅ−ＡＧＣＨチャネルは配置される。
【００４０】
２つのチャネルが利用可能な場合（ステップ１２ｉｉ）、ルーチンはステップ１５ｉｉへ進み、一方のチャネルは１０ｍｓＴＴＩのみを伴って配置され、及びもう一方のチャネルは２ｍｓＴＴＩのみを伴って配置される、即ち双方のチャネルがクリーンチャネルとなる。
【００４１】
第１の実施形態の第１の観点によれば、１０ｍｓチャネルがフリーのスロットを有する間も、２ｍｓチャネル上でリソースが除外（exempt）されない限り、第１間隔ＴＴＩタイプのＵＥは前者の１０ｍｓＥ−ＡＧＣＨチャネル上にスケジューリングされ、第２間隔ＴＴＩタイプのＵＥは後者の２ｍｓチャネル上に好適にスケジューリングされる。なお、“１０ｍｓ”ＵＥとして構成される２ｍｓＵＥは、この文脈においては事実上１０ｍｓＵＥであると考えられる。
【００４２】
２つより多くのＥ−ＡＧＣＨチャネルが利用可能である場合、ステップ１３ｉｉの下に見られるように、１つの選択肢（ステップ１６ｉｉ）は、１０ｍｓＴＴＩを有する少なくとも第１のクリーンチャネル、及び２ｍｓＴＴＩのみを有する少なくとも第２のクリーンチャネルを配置し得る。さらに構成される任意のＥ−ＡＧＣＨチャネルは、ＵＥの最大の必要性又は予め決定された送信間隔のいずれかに従って、クリーンチャネルとして選択的に配置される。
【００４３】
第１の実施形態の１つの観点によれば、固有の長さのＴＴＩ間隔についての必要性と、従って所与のＴＴＩ間隔の追加のクリーンチャネルについての必要性と、が評価される。最大の必要性を有するクリーンチャネルについての間隔タイプとは、キャパシティが最も低い構成されているチャネルの間隔タイプであるということもできる。キャパシティは、図９の任意的なステップｉｉｉにおいて算出される。
【００４４】
Ｅ−ＡＧＣＨチャネライゼーションコードが２つより多い１３ｉｉの場合、追加のクリーンチャネルのＴＴＩ間隔配置は、最大の必要性を有するタイプに従って選択されるように、本方法はアレンジされてもよい。
【００４５】
クリーンな１０ｍｓＴＴＩチャネル上では、クリーンな２ｍｓＴＴＩチャネルと比較すると送信機会が５倍少ないため、１０ｍｓＴＴＩのために追加のコードを使用する必要性はより大きい可能性がある（なお、２ｍｓＴＴＩを使用するＵＥが１０ｍｓＴＴＩと同じだけ存在すると考えると、１０ｍｓＴＴＩのための送信機会がより少ないため、典型的には第３のコードは１０ｍｓＴＴＩの使用に割り当てられるであろう）。一方、５倍以上の２ｍｓＴＴＩサービングＲＬが存在する場合には、２ｍｓＴＴＩの送信のための必要性がより大きくなる。
【００４６】
追加の第３、第４、第５のＥ−ＡＧＣＨコードが２ｍｓＴＴＩの使用のために配置されるべきか否かは、各ＴＴＩタイプのキャパシティに基づき得る。
【００４７】
２ｍｓの合計キャパシティ＝５×“構成されたＥ−ＡＧＣＨコードの数”（２ｍｓ）×１／（“サービングＲＬの数”２ｍｓ）
１０ｍｓの合計キャパシティ＝１×“構成されたＥ−ＡＧＣＨコードの数”（１０ｍｓ）×１／（“サービングＲＬの数”１０ｍｓ）
【００４８】
第３又は第４又は第５の空のＥ−ＡＧＣＨコードが存在する度に、キャパシティが最も低い所与の“ＴＴＩタイプ”の既存のチャネルに相当するＴＴＩ間隔を伴うクリーンチャネルとしてそれは配置される。所与のタイプのクリーンチャネルについてキャパシティが最も低いとは、所与のタイプのクリーンチャネルについて必要性が最大であるともいうこともできる。
【００４９】
図９におけるステップｉｉｉ）の下で、上記算出は実行される。
【００５０】
その後ステップｖにおいて、ＵＥは、対応するＴＴＩ間隔のチャネルに割り当てられる。１０ｍｓＴＴＩとして配置される１つのＥ−ＡＧＣＨチャネライゼーションコード及び２ｍｓＴＴＩｍｓコードとして、１つのセル内に２つのＥ−ＡＧＣＨチャネライゼーションが配置される構成の場合、ＮｏｄｅＢは２つの２ｍｓチャネライゼーションコード上に２ｍｓＴＴＩを伴う全てのＵＥ、及びもう一方に１０ｍｓＴＴＩを伴う全てのＵＥを構成する。
【００５１】
図１０において、１つのダウンリンク制御チャネルコードが構成される（１１ｉ）場合には、上記第１（Ｐ１）及び第２の間隔（Ｐ２）の双方を有する複合チャネルとして当該ダウンリンク制御チャネルが配置され（１４ｉｉ）、２つのダウンリンク制御チャネルコードが構成される（１２ｉｉ）場合には、それぞれ上記第１の間隔（Ｐ１）又は上記第２の間隔（Ｐ２）の間隔を排他的に有する個々のチャネルであるクリーンチャネルとして当該ダウンリンク制御チャネルが配置され、１つのダウンリンク制御チャネルは上記第１の間隔（Ｐ１）を有し、上記第２のダウンリンク制御チャネルは上記第２の間隔（Ｐ２）を有する（１５ｉｉ）ことが示されている。
【００５２】
少なくとも２つのダウンリンク制御チャネルが構成される（１５ｉｉ）場合に、上記割り当てるステップｖ）は、上記第１の間隔（Ｐ１）を排他的に使用可能なＵＥ（第１間隔のＵＥ）を上記第１のクリーンなダウンリンク制御チャネルに割り当て又は再割り当てすることと（ｖ）；上記第２の間隔（Ｐ２）を少なくとも使用可能なＵＥ（第２間隔タイプのＵＥ）を上記第２のクリーンなダウンリンク制御チャネルに割り当て又は再割り当てすることと（ｖ）；を含む。
【００５３】
２つより多くのダウンリンク制御チャネルが構成される場合に、少なくとも第１及び第２のダウンリンク制御チャネルをクリーンチャネルとして配置し（１６ｉｉ）、上記第１のダウンリンク制御チャネルは、第１の送信間隔（Ｐ１，Ｐ２）を有し、上記第２のダウンリンク制御チャネルは、第２の送信間隔を有し、及び、第３のダウンリンク制御チャネルは、例えば予め決定される上記第１又は上記第２の送信間隔（Ｐ１，Ｐ２）のいずれかを有する。
【００５４】
[第１の実施形態の第２の代替案]
図１１において、別の代替案が示されている。この実施形態は、図１０に示されている手続に似ているが、ステップ１６ｉｉが異なる手法でアレンジされ、ステップ２６ｉｉに置き換えられている。図９をさらに参照されたい。
【００５５】
第１の実施形態にあるように、１０ｍｓＴＴＩを有する第１のクリーンチャネル及び２ｍｓＴＴＩを有する第２のクリーンチャネルが少なくとも存在する。ＵＥのこれらチャネルへの割り当ては上述されているとおりである。
【００５６】
２つより多くのＥ−ＡＧＣＨチャネルが利用可能である場合（ステップ１３ｉｉ）であって、複数のこれらチャネルが実際に運用されている場合、さらに新たに構成される任意のＥ−ＡＧＣＨチャネルのＴＴＩフレームの配置（ステップ２６）は、複合チャネル配置となる。
【００５７】
図７及び図８において、複合タイプのＥ−ＡＧＣＨチャネル配置の例が示されている。１０ｍｓＴＴＩ間隔の２ｍｓＴＴＩ間隔への実際の分配は、予め決定されており経験的な値に基づき得る。
【００５８】
この例において、いったん追加チャネルが配置されると、さらに現れるＵＥｓは負荷分散の仕組みに従って３つのチャネルに割り当てられ、その仕組みは図１９に関して以下で後述される仕組みに実質的に相当する。
【００５９】
負荷分散の仕組みは、少なくとも第２間隔タイプのＵＥに関連付けられる重みパラメータにとりわけ好適に依存している。各チャネルの累積的な負荷は追跡され続け、それによりインカミングのＵＥがセル内に現れて実際にチャネルに割り当てられる度に、ＵＥが割り当てられたチャネルについての当該負荷が更新される。第１の実施形態の第１の観点によれば、第２間隔タイプのＵＥについて負荷値は１ずつ増加し、一方第１間隔タイプのＵＥについて負荷値は５ずつ増加する。他の固有の増分負荷値が適用されてもよい。
【００６０】
この仕組みを使用して、チャネルリソースが効率的に使用され、異なるタイプのＵＥについてサービス品質が一貫した状態となり得るよう、規則正しいＵＥの分配が確保される。少なくともＵＥが同等にアクティブであるという前提の下で、これは当てはまる。
【００６１】
図１１において示されているように、２つより多くのダウンリンク制御チャネルが構成される場合に、少なくとも第３のダウンリンク制御チャネルの配置は複合チャネルとして配置され得る（２６ｉｉ）。
【００６２】
図１２において、第１の実施形態の第３の代替案が説明されている。
【００６３】
この代替案の実施形態において、２つのダウンリンク制御チャネルが構成される場合に、最も必要性の大きい上記送信間隔（Ｐ１，Ｐ２）に係る１つのクリーンチャネルを配置し、もう一方のダウンリンク制御チャネルコードを上記第１及び第２の間隔（Ｐ１，Ｐ２）の双方を有する複合チャネルとして配置する（２５ｉｉ）。
【００６４】
４つのダウンリンク制御チャネルが構成される場合に、最も必要性の大きい上記送信間隔（Ｐ１，Ｐ２）に係る少なくとも１つのクリーンチャネル、第１の間隔（Ｐ１）の１つのクリーンチャネル、第２の間隔（Ｐ２）の１つのクリーンチャネル、及び１つの複合チャネルが配置される（２７ｉｉ）。
【００６５】
２つよりも多くのダウンリンク制御チャネルが構成される（１３）ようなトラフィック要求がある場合に、上記方法は、
第２の送信間隔（Ｐ２）により割り込まれる第１の送信間隔（Ｐ１）を有する複合チャネルとして上記第３のダウンリンク制御チャネルを配置するさらなるステップ（２６ｉｉ）と、
ある数の第１タイプのユーザエンティティ（ＵＥ１）を上記第１のダウンリンク制御チャネルに少なくとも割り当て、及び第２の数の第２タイプのユーザエンティティ（ＵＥ２）を上記第２のダウンリンク制御チャネルに少なくとも割り当てるさらなるステップ（ｖ）と、一方で、
第３の数の第１タイプのユーザエンティティ（ＵＥ１）を上記第３のダウンリンク制御チャネルの第１の送信間隔に少なくとも割り当て、及び第４の数の第２タイプのユーザエンティティ（ＵＥ２）を上記第３のダウンリンク制御チャネルの上記第２の送信間隔に割り当てるさらなるステップと、を含む。
【００６６】
第１の実施形態の観点について、上記スケジューリング（ｘ）は、上記構成するステップ（ｉ）及び上記割り当てるステップ（ｖｉ）よりも高い頻度で実行されるよう適用される。
【００６７】
上記方法が構成される全てのダウンリンク制御チャネル上の上記負荷を算出する上記ステップ（ｉｉｉ）、を追加的に含むとき、
所与の送信間隔（Ｐ１，Ｐ２）に対応可能なユーザエンティティ（ＵＥ１，ＵＥ２）のためにより多くのダウンリンク制御チャネルが利用可能である場合に、ユーザエンティティが送信可能な上記所与の送信間隔を含む上記ダウンリンク制御チャネルであって、最も負荷の低い上記ダウンリンク制御チャネルに、上記ユーザエンティティが割り当てられ得るようにも適用される。
【００６８】
なお、上記負荷は、所与のダウンリンク制御チャネルに割り当てられたユーザエンティティの数に対応するよう算出され得ることがわかる。
【００６９】
[第２の実施形態−動的な負荷の算出]
図１３において、別のＮｏｄｅＢの手続が示されており：
移動体ユーザエンティティが絶対的な使用権を受けるようにスケジューリングされる少なくとも１つのダウンリンク制御チャネル（Ｅ−ＡＧＣＨ）を含む高速アップリンク基地局を運用するための方法であって、
上記ダウンリンク制御チャネルは、第１の間隔（Ｐ１）又は第２の間隔（Ｐ２）に相当する送信間隔をもって配置され、
第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、
第２の送信間隔（Ｐ２）の開始の候補は、上記追加制御チャネル（Ｐ−ＣＣＰＣＨ）上で上記予め定義された（ｔ１）フレームからの上記第２の送信間隔（Ｐ２）の長さの整数倍に相当する期間により定義され、
上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成される。
上記方法は、
構成される各チャネル上の上記負荷を算出するステップと（ｉｉｉ）；
配置されたダウンリンク制御チャネルのそれぞれにユーザエンティティを割り当て（ｖｉ）又は再割り当てするステップ（ｖｉ）と、一方で、
上記第１の間隔（Ｐ１）及び／又は上記第２の間隔（Ｐ２）の送信間隔を有する所与のチャネル上に少なくとも割り当てられるユーザエンティティのためにトラフィックをスケジューリングするステップ（ｘ）と、
を含み、
第１の間隔（Ｐ１）の第２の間隔（Ｐ２）に対する上記割合は動的に変化する。
【００７０】
有利なことに、上記方法はダウンリンク制御チャネルの構成又は再構成（ｉ，１０ｉ）において協同するさらなるステップをさらに含み、当該ステップにおいて上記基地局のためにダウンリンク制御チャネルが追加され又は削除される。
【００７１】
第２の実施形態は、図７又は図８に示されている複合チャネルの多い柔軟な配置を利用しており、スケジューリングの実行前の所与のステップにおける“レイアウトを配置する”ステップは行なわれず、これは第１の実施形態とは対照的である。実際のスケジューリングの決定が“チャネル配置”又はチャネルレイアウトが経時的にどのように定義されるかに影響を及ぼすため、第２の実施形態に係る各Ｅ−ＡＧＣＨのチャネル配置は、経時的に一定である必要はない。
【００７２】
図１９において第２の実施形態の一例が示されており、図１３のステップｉｉｉ及びｖｉに相当する算出及び割り当ての仕組みが示されている。異なるＴＴＩタイプの新規ＵＥが個々のチャネルＡ／Ｂへ割り当てられ又は離れる際の、第１のＥ−ＡＧＣＨチャネルＡ上の負荷及び第２のチャネルＢ上の負荷が表されている。ＵＥは、これらチャネル上の累積された負荷に従ってチャネルに割り当てられる。
【００７３】
キーＣ１は、個々のチャネルＡ又はＢが１０ｍｓＴＴＩを有するクリーンチャネルとして現れることを示しており、一方キーＣ２は、それがクリーンな２ｍｓＴＴＩのサブフレーム構造として現れることを示している。それぞれのチャネルのためのスケジューリングの結果として現れるものである。Ｍは、チャネルＡ又はＢが当面の間複合チャネルとして現れることを示している。
【００７４】
上記ダウンリンク制御チャネルが上記第１の間隔（Ｐ１）のみを含むような、若しくは上記ダウンリンク制御チャネルが上記第２の間隔（Ｐ２）のみを含むような期間の間に上記フレームのレイアウトがスケジューリングされ得るように上記ダウンリンク制御チャネルはスケジューリングされ；又は上記第１及び第２の間隔の複合を含むように上記ダウンリンク制御チャネルはスケジューリングされることが分かる。
【００７５】
さらに当然のことながら、第１の間隔（Ｐ１）の第２の間隔（Ｐ２）に対する上記割合は、当該割合が動的に変化するようにスケジューリングされる。
【００７６】
割り当てるステップｉｉｉ）の１つの第１の代替案は、次のような手法で実行される。即ち、１である重み付け係数（weighting  factor）が２ｍｓのＵＥに適用され、一方１０ｍｓＴＴＩタイプのＵＥは５である重み付け係数に関連付けられる。
【００７７】
ステップｖｉ）によれば、ＵＥはその時点で最も低い負荷を有するＥ−ＡＧＣＨに割り当てられる。ＵＥがＮｏｄｅＢの所与のセル内におけるチャネルを離れる際、所与の個々のチャネルに関連する累積された負荷値から、対応する重み付け係数を伴う値が推定される。図１９において、インカミングのＵＥは正数で示され、一方離れていくＵＥは負号に関連付けられている。
【００７８】
上述されているように、第２の実施形態の下で説明されている実質的に相当する割り当ての仕組みを、図９の複合チャネルについての実施形態のｉｉ及びｖ）のためにも使用してもよいことが理解されるべきである。それはまた２つより多くのＥ−ＡＧＣＨチャネルのために使用してもよく、上記仕組みは複合及びクリーンチャネルのハイブリッドを含むチャネル配置のみならず、第１の実施形態の下で説明されているクリーンチャネルのみ及び複合チャネルのみにも適用可能である。これらの場合において、ユーザエンティティが絶対的な使用権を受けることが可能なチャネルにのみ割り当てられるよう、その仕組みは修正される。
【００７９】
[第２の実施形態−代替的な増分負荷値の算出：]
第２の実施形態についての負荷の算出ステップｉｉｉ）は、本発明に係る様々なやり方で算出され得る。
【００８０】
例えばＨＳＤＰＡ及びＥＵＬに対応可能なラップトップ装置を有する無線エンドユーザを考える。ＥＵＬ部分が２ｍｓに対応可能である場合のエンドユーザの行動を、１０ｍｓを伴う同じユーザと比較すると、ユーザは２ｍｓＴＴＩをもってより多くの情報をダウンロードする傾向にあると想定し得る。“ウェブページをクリック”してから、ページが完全にダウンロードされるのを待ち、“次のクリック”がなされるまでの時間は、短縮され得る。その結果、２ｍｓユーザは、Ｅ−ＡＧＣＨチャネル上でより多くのシグナリングを要求するであろうと想定し得る。代替案によれば、この予想される振る舞いを補償するための経験的に規定され得るさらなる重み付け係数を追加することにより、負荷算出の式は修正される。
【００８１】
代わりに、Ｅ−ＡＧＣＨの使用量を最大能力（maximum  capability）と比較して動的にカウントすることにより、負荷は算出される。例えば、最新の１秒を対象とするスライディングウィンドウにより各Ｅ−ＡＧＣＨの最大能力との比較における各Ｅ−ＡＧＣＨの使用量を算出することで、使用量は算出され得る。この場合、最も低い負荷とは、最大の使用量との比較における使用量が最も低いＥ−ＡＧＣＨチャネルについて現れるであろう。
【００８２】
図１４において手続が示されている：ステップ３０においてルーチンが開始する；３１において、絶対的な使用権の送信がいずれかのＥ−ＡＧＣＨチャネル上のサービングノードから送信されるか否かを判定する；３２において、これが当てはまる場合、アドレスを指定された全てのユーザエンティティについての絶対的な使用権の送信のタイムスタンプが記憶される。
【００８３】
上記ステップと並行して、例えば、２ｍｓ毎にステップ３３に入り、３４において、各Ｅ−ＡＧＣＨチャネル上の各ユーザエンティティについて、最後の時間ウィンドウの間における絶対的な使用権の送信のタイムスタンプの数の時間ウィンドウの期間（extension）に対する比率に相当するユーザエンティティの負荷値が算出される。ステップ３５において、各２ｍｓ（Ｐ２）タイプのユーザエンティティについて、ユーザエンティティの負荷値は、上で説明した手続に沿って重みの値、例えば５により乗じられる。ステップ３６において、各ダウンリンク制御チャネルを割り当てられたユーザエンティティの負荷値を合計することにより、Ｅ−ＡＧＣＨチャネル毎の合計負荷値が算出される。
【００８４】
構成される各チャネル上の上記負荷は、絶対的な使用権が移動する時間ウィンドウ内でその特定のユーザエンティティのために送信される（３０〜３２）上記量に従った、各ユーザエンティティについてのユーザエンティティの値を用いて算出される（３４）。
【００８５】
さらに、ユーザエンティティの上記負荷値（３５）は、上記第２の間隔を使用可能なユーザエンティティについての重みの値を用いて補償されてもよく、上記重みの値は、１よりも大きい。
【００８６】
図１５は、集中的な送信を伴うユーザエンティティ（ＵＥ１）及び主に固定レートを伴うＵＥ（ＵＥ２）の一例を示している。Ｅ−ＡＧＣＨの送信を例示している矢印は、ユーザエンティティが割り当てられているＥ−ＡＧＣＨチャネルについて絶対的な使用権のレートの変化が生じたことを示している。矢印の方向は、許可された送信キャパシティの増加又は減少を示す。
【００８７】
図１５に基づくと、ユーザエンティティＵＥ１は、時間＿ウィンドウごとに２３である負荷の比率を有し、一方ユーザエンティティＵＥ２は、時間＿ウィンドウごとに３という負荷の比率を有する。これは、ユーザエンティティＵＥ１が集中的なトラフィックパターンに関連付けられているため、ユーザエンティティＵＥ２のその個々のチャネルについての負荷と比較して、ＵＥ１が割り当てられているＥ−ＡＧＣＨチャネル上により高い負荷が生じることを示している。少なくとも最終フェーズにおいてはＵＥ２がより多くのデータを送信するにも関わらず、より定常的なＵＥ２よりも、集中的なＵＥ１の方が、Ｅ−ＡＧＣＨチャネル上でより多くのキャパシティを費やす。
【００８８】
固有のＥ−ＡＧＣＨコードに割り当てられた全てのＵＥの負荷は、合計される。これは、セル内の全てのＥ−ＡＧＣＨコードについて実行される。第２の実施形態のこの代替案によれば、システムへ参入する新規ユーザエンティティは、負荷が最も低いＥ−ＡＧＣＨコードに割り当てられる。
【００８９】
第２の実施形態によれば、上記スケジューリング（ｘ）は、上記割り当てるステップ（ｖｉ）よりも高い頻度で実行されることを前提とする。
【００９０】
構成される各チャネル上の上記負荷は、上記チャネルに割り当てられる各ユーザエンティティについて負荷値を算出することにより算出されてもよく（３４）、ユーザエンティティが所与のチャネルに割り当てられ又は離れた後の上記所与のチャネルについての累積的な負荷値として、所与のダウンリンク制御チャネル上の上記負荷は算出される。インカミングのユーザエンティティは、最も低い負荷を有する上記チャネル上に割り当てられる（ｖｉ）。
【００９１】
代わりに、構成される各チャネル上の上記負荷は、移動する時間ウィンドウ内でその特定のユーザエンティティについて絶対的な使用権が送信される（３０〜３２）量に従って、各ユーザエンティティについてのユーザエンティティの値を用いて算出される（３４）。
【００９２】
上記ユーザエンティティの値（３５）は、上記第２の間隔を使用可能なユーザエンティティについての重みの値を用いて補償されてもよく、上記重みの値は、１よりも大きい。
【００９３】
上記ダウンリンク制御チャネルが上記第１の間隔（Ｐ１）のみを含み、若しくは上記ダウンリンク制御チャネルが上記第２の間隔（Ｐ２）のみを含むような期間の間に上記フレームのレイアウトがスケジューリングされ得るように上記ダウンリンク制御チャネルはスケジューリングされ；又は上記第１及び第２の間隔の複合を含むように上記ダウンリンク制御チャネルはスケジューリングされる。
【００９４】
なお、第１の間隔（Ｐ１）の第２の間隔（Ｐ２）に対する上記割合は、当該割合が動的に変化するようにスケジューリングされる。
【００９５】
[第１及び第２の実施形態−チャネル構成]
以下で、図Ａ１１及び図Ａ１２のステップｉ）の下で示されているようなＥ−ＡＧＣＨチャネルを、ＮｏｄｅＢはＲＮＣと協同してどのように構成するのかに関し、上述の双方の実施形態に関連して説明する。
【００９６】
例えばＨＳＵＰＡサービスを要求するＵＥに関して、チャネライゼーションコードは、ＮｏｄｅＢからＲＮＣへのＲＬセットアップ又はＲＬ再構成メッセージにおいてシグナリングされ、その後ＲＲＣプロトコルを介してＵＥへ転送される。その後、ＵＥが割り当てられている所与のチャネル上でトラフィックがスケジューリングされ得る。
【００９７】
図１６において、本発明に従って利用されるＮＢＡＰプロトコルに係る既知のステップが示されている。ＲＮＣは、（ユーザエンティティ（ＵＥ）から生じる）ＲＬセットアップ要求１０１をＮｏｄｅＢに通知する。ＮｏｄｅＢは、無線リンクの割り当て（ｖ、ｖｉ）、即ちＥ−ＡＧＣＨコードの所与のユーザエンティティ（ＵＥ）への割り当てを含むＲＬセットアップ応答１０２を送信し、そのコード割り当て結果（code  allocation）は、ＲＲＣ無線ベアラのセットアップメッセージ１０３においてユーザエンティティへ通知される。それにより、所与のＵＥは所与のＥ−ＡＧＣＨチャネルへ割り当てられる。
【００９８】
図１７において、セルについてチャネルの構成（ｉ）を開始するＲＮＣのプロセスが説明されている。ステップ２０１において、監査（audit）要求信号が発行される。ＮｏｄｅＢは、監査応答信号をシグナリングする。ステップ２０３において、セルセットアップ要求信号が発行され、それはＮｏｄｅＢからのセルセットアップ応答メッセージ（２０４）において繰り返される。このシグナリングに続いて、ＮｏｄｅＢに関連するセルについての物理共有チャネル（Physical  Shared  Channel）の再構成要求（２０５）においてＲＮＣによりＮｏｄｅＢにＥ−ＡＧＣＨチャネルが提供され、当該Ｅ−ＡＧＣＨチャネルをＮｏｄｅＢが使用することが許可される。その後ＮｏｄｅＢは、物理共有チャネルの再構成応答（２０６）において承諾をシグナリングする。
【００９９】
図１８において、ステップ３０５、２０５〜２０６を有する本発明に係る新たな手続が示されており、これによりＮｏｄｅＢは最初にＥ−ＡＧＣＨチャネルの再構成の開始（３０５）を要求する、即ちＮｏｄｅＢにより使用され得るようにＥ−ＡＧＣＨを構成させ、又はＮｏｄｅＢによる使用のためにチャネルを削除させる。本発明は、例えば物理共有チャネルの再構成の“更新”と呼ばれる、３０５に示されている新たな信号を利用し、これは再構成の開始信号３０５を生成するＮｏｄｅＢのセルＩＤに関する情報及びこのＮｏｄｅＢによりいくつのＥ−ＡＧＣＨチャネルが求められているかに関する情報を含む。残りのステップ２０５及び２０６は、図１７に関して議論されたものと同じであり、ＮＢＡＰプロトコルに従って知られている。それによりもたらされる構成又は再構成は、図１０におけるステップｉに相当する。
【０１００】
換言すれば、再構成信号を生成する上記基地局の上記セルアイデンティティに関し、及び、上記基地局によりいくつのダウンリンク制御チャネルが求められているかに関する情報を含む、上記再構成信号（３０５）が使用される。
【０１０１】
上記説明により例示されているように、本発明によれば、Ｅ−ＡＧＣＨリソースのより効率的な利用が得られ、一方ＵＥのために速い応答時間が概して提供される。Ｅ−ＡＧＣＨリソースのより効率的な使用により、使用権が送信され得る機会はより頻繁となり、遅延はより短くなる。さらに本発明は、ＮｏｄｅＢにおける処理と、その結果本発明の実装のために必要なリソースとを簡素化する。
【０１０２】
ＷＣＤＭＡ（Wideband  Code  Division  Multiple  Access）のセル内におけるダウンリンク（ＤＬ）のキャパシティは、典型的に電力及び／又はコードにより制限される。セル内におけるサービングＲＬが少なければそれだけ、絶対的な使用権をＥ−ＡＧＣＨを介して送信するために必要なチャネライゼーションコードは少なくなる。本発明は、セル内におけるサービングＲＬの数と、２ｍｓ／１０ｍｓＴＴＩの双方がサポートされているか否かとに基づいて、構成されるコードを制限する。
【０１０３】
図５において、本発明に係るユーザエンティティＵＥが示されている。ユーザエンティティは、ＤＰＣＣＨ、Ｅ−ＤＰＣＣＨ、及びＥ−ＤＰＤＣＨチャネル上で通信するために、Ｌ１処理手段と、Ｅ−ＲＧＣＨ／Ｅ−ＨＩＣＨ処理手段と、Ｅ−ＡＧＣＨの処理と、ＥＵＬ制御手段と、ＥＵＲコントローラ(ctrl)と、ユーザエンティティ（ＵＥ）に関連付けられるＨＡＲＱ（Hybrid  Automatic  Repeat  Request）処理１〜ｍについてのＨＡＲＱの処理ステージ１〜ｍと、メディアアクセス制御（ＭＡＣ−ｅ  ＰＲＯＣ）処理手段と、を含む。さらにユーザエンティティの上位のプロトコルスタックに接続するバッファＩが備えられている。
【０１０４】
図６において、本発明に係る一例となる基地局が示されており、これはＮｏｄｅＢとも呼ばれ、サービング基地局としても非サービングセルとしても運用可能である。基地局は、Ｅ−ＲＧＣＨ／Ｅ−ＨＩＣＨの処理（ＰＲＣ）ステージ１〜ｎと、レイヤ１の処理と、Ｅ−ＡＧＣＨの処理と、スケジューラと、ユーザエンティティ１〜ｎについての個々のＨＡＲＱエンティティと、を含み、各ＨＡＲＱエンティティは各ユーザエンティティについてのＨＡＲＱ処理に係るパケット１〜ｍを受信するための複数のＨＡＲＱ受信機を含む。さらにＮｏｄｅＢは、エアインタフェース上のＥ−ＡＧＣＨ及びＥ−ＲＧＣＨチャネル上で通信するためのレイヤ１処理手段と、ＤＰＣＣＨ、Ｅ−ＤＰＣＣＨ及びＥ−ＤＰＤＣＣＨチャネル上で通信するためのＬ１処理手段と、を含む。さらに基地局は、ｉｕｂインタフェース上で通信するためのＥ−ＤＰＣＨ  ＦＰの手段を含む。ＭＡＣ−ｅ  ＥＤＰＣＣＨ復号手段１〜ｎは、ＵＥ１〜ｎについてのＨＡＲＱエンティティに提供される。本発明によれば、本発明に係るＮｏｄｅＢに関する方法のステップは、スケジューラにおけるプログラムとして実装されてもよい。
【０１０５】
本発明の第１の実施形態によれば、移動体ユーザエンティティが絶対的な使用権を受けるようにスケジューリングされる少なくとも１つのダウンリンク制御チャネル（Ｅ−ＡＧＣＨ）上の通信のために構成される高速アップリンク基地局であって、
上記ダウンリンク制御チャネルは、第１の間隔（Ｐ１）又は第２の間隔（Ｐ２）に相当する送信間隔をもって配置され、
第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、
第２の送信間隔（Ｐ２）の開始の候補は、追加制御チャネル（Ｐ−ＣＣＰＣＨ）上で上記予め定義された（ｔ１）フレームからの上記第２の送信間隔（Ｐ２）の長さの整数倍に相当する期間により定義され、
上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成され、
上記基地局は、
排他的に上記第１の間隔（１０ｍｓ）の送信間隔を有する第１のダウンリンク制御チャネルを配置し又は再配置し、及び、排他的に上記第２の間隔（２ｍｓ）の送信間隔を有する第２のダウンリンク制御チャネルを配置し又は再配置するステップ（ｉｉ，１１ｉｉ−１６ｉｉ，２７ｉｉ）と；
配置されたダウンリンク制御チャネルのそれぞれにユーザエンティティを割り当て又は再割り当てするステップ（ｖ）と、一方で、
割り当てられるユーザエンティティのためにトラフィックをスケジューリングするステップ（ｘ）と、
を実行するために構成される基地局、が提供される。
【０１０６】
本発明の第２の実施形態によれば、移動体ユーザエンティティが絶対的な使用権を受けるようにスケジューリングされる少なくとも１つのダウンリンク制御チャネル（Ｅ−ＡＧＣＨ）を通信するために構成される高速アップリンク基地局であって、
上記ダウンリンク制御チャネルは、第１の間隔（Ｐ１）又は第２の間隔（Ｐ２）に相当する送信間隔をもって配置され、
第１の送信間隔（Ｐ１）の開始の候補は、追加制御チャネル（Ｐ−ＣＣＰＣＨ）上で予め定義された（ｔ１）フレームからの上記第１の送信間隔の長さの整数倍に相当する期間により定義され、
第２の送信間隔（Ｐ２）の開始の候補は、上記追加制御チャネル（Ｐ−ＣＣＰＣＨ）上で上記予め定義された（ｔ１）フレームからの上記第２の送信間隔（Ｐ２）の長さの整数倍に相当する期間により定義され、
上記基地局は、上記第１の送信間隔（Ｐ１）内で排他的に通信可能な第１タイプのユーザエンティティ（ＵＥ１）との間で、及び上記第２の送信間隔（Ｐ２）内で通信可能な第２タイプのユーザエンティティ（ＵＥ２）との間で通信するように構成され、
上記基地局は、
構成される各チャネル上の上記負荷を算出するステップと（ｉｉｉ）；
配置されたダウンリンク制御チャネルのそれぞれにユーザエンティティを割り当て（ｖｉ）又は再割り当てするステップ（ｖｉ）と、一方で、
上記第１の間隔（Ｐ１）及び／又は上記第２の間隔（Ｐ２）の送信間隔を有する所与のチャネル上に少なくとも割り当てられるユーザエンティティのためにトラフィックをスケジューリングするステップ（ｘ）と、
を実行するために構成される基地局、が提供され、
第１の間隔（Ｐ１）の第２の間隔（Ｐ２）に対する上記割合は動的に変化する。
【図１】
0005540123.tif 000003
【図２】
0005540123.tif 000004
【図３】
0005540123.tif 000005
【図４】
0005540123.tif 000006
【図５】
0005540123.tif 000007
【図６】
0005540123.tif 000008
【図７】
0005540123.tif 000009
【図８】
0005540123.tif 000010
【図９】
0005540123.tif 000011
【図１０】
0005540123.tif 000012
【図１１】
0005540123.tif 000013
【図１２】
0005540123.tif 000014
【図１３】
0005540123.tif 000015
【図１４】
0005540123.tif 000016
【図１５】
0005540123.tif 000017
【図１６】
0005540123.tif 000018
【図１７】
0005540123.tif 000019
【図１８】
0005540123.tif 000020
【図１９】
0005540123.tif 000021